(57)【要約】【課題】放送番組における情報の提供順序にかかわらず、視聴者側で所望の情報だけを簡単に視聴可能とする。【解決手段】放送局１１は、番組制作時に、オンラインショッピング番組で提供する番組コンテンツ内を商品別に時間で区切って分割し、各分割コンテンツそれぞれに商品の属性を示す商品分類コードを付加し、番組コンテンツの放送信号に多重されるＥＰＧ情報にオンラインショッピング番組については商品分類情報と分類コードを追加しておく。受信端末装置１３は、番組の検索記録指示を受けると、ＥＰＧ情報を基に、表示画面に商品分類一覧を表示し、ユーザの商品指定に従って該当する商品分類コードを特定し、商品分類コードを含む番組コンテンツを自動的に選局受信し、受信コンテンツ中から特定された商品分類コードと一致する分割コンテンツを記録する。これにより、所望の商品分類の部分だけをいつでも簡単に視聴可能となる。【選択図】      図１
2005094100.tif 000002
【特許請求の範囲】
【請求項１】
放送局から不特定多数の受信端末装置に向けて複数の番組コンテンツを含む放送信号を放送する放送システムにおいて、
前記放送局は、前記番組コンテンツを生成する際に、番組コンテンツ内を情報内容別に時間で区切って分割し、各分割コンテンツそれぞれに情報内容の属性を示す分類コードを付加しておき、
前記受信端末装置は、任意の分類の検索記録指示があったとき、指示された分類に対応する分類コードを特定し、この分類コードが含まれる番組コンテンツを自動的に受信して前記特定された分類コードが付加されている分割コンテンツのみを検索記録することを特徴とする放送システム。
【請求項２】
前記放送局は、
前記分類コードとは別に全番組コンテンツに番組コードを付加しておき、各番組コンテンツの放送時間を示す番組情報、前記番組コード、前記情報内容別の分類情報、前記分類コードを含む電子番組ガイド情報を制作し、前記番組コンテンツとは独立して前記放送信号に多重する手段を備え、
前記受信端末装置は、
前記放送信号を受信して前記番組コンテンツ及び電子番組ガイド情報を抽出する受信信号処理手段と、
前記番組コンテンツを前記分割コンテンツ単位で選択的に記録し再生する番組コンテンツ記録再生手段と、
前記放送信号から抽出される電子番組ガイド情報を自動的に格納する電子番組ガイド情報格納手段と、
任意の分類の検索記録指示、検索記録された分割コンテンツの再生指示を受け付ける指示入力手段と、
前記検索記録指示入力に応じて、前記分類情報に示される情報内容別の分類を表示して被検索分類を選択させ、選択された分類に該当する分類コードを前記電子番組ガイド情報から抽出し、抽出された分類コードを含む番組コンテンツの番組コードを前記電子番組ガイド情報から抽出し、抽出された番組コードに対応する番組コンテンツの放送時間に該当するチャンネルを選局して受信を開始し、分類コードが一致する分割コンテンツを検索して前記番組コンテンツ記録再生手段に記録する検索記録手段と、
前記検索記録されたコンテンツの再生指示入力に応じて前記番組コンテンツ記録再生手段から前記検索記録手段によって記録された分割コンテンツを順次再生する検索記録コンテンツ再生手段とを備えることを特徴とする請求項１記載の放送システム。
【請求項３】
前記検索記録手段は、前記分類の指定が複数あるとき、分類毎に分けて分割コンテンツを記録し、
前記検索記録コンテンツ再生手段は、分類の指定により、指定された分類の分割コンテンツのみを再生することを特徴とする請求項２記載の放送システム。
【請求項４】
前記放送局は、オンラインショッピング番組の番組コンテンツを紹介する商品別に時間を区切って分割し、各分割コンテンツそれぞれに商品の属性を示す分類コードを付加しておき、
受信端末装置は、前記オンラインショッピング番組で紹介される任意の商品の検索記録指示があったとき、指示された商品が属する分類コードを特定し、この分類コードが含まれるオンラインショッピング番組の番組コンテンツを自動的に受信して前記特定された分類コードが付加されている分割コンテンツのみを検索記録することを特徴とする請求項１記載の放送システム。
【請求項５】
さらに、前記放送局は、前記分割コンテンツに商品情報の有効期限情報を付加し、
前記受信端末装置は、前記検索記録された分割コンテンツに付加されている前記有効期限情報から期限切れを判断し、期限切れと判断した場合に、再生時に期限切れを表示する、または期限切れの分割コンテンツ再生をスキップする、または期限切れの時点でその分割コンテンツを消去する、のいずれかの処理を実行する期限切れ処理手段を備えることを特徴とする請求項４記載の放送システム。
【請求項６】
前記期限切れ処理手段は、前記期限切れと判断した場合の処理として、再生時に期限切れを表示するモード、期限切れの分割コンテンツ再生をスキップするモード、期限切れの時点でその分割コンテンツを消去するモードを備え、ユーザの選択によって処理モードを切り換えることを特徴とする請求項４記載の放送システム。
【請求項７】
放送局から放送される複数の番組コンテンツを含む放送信号を受信する放送システムの受信端末装置において、
前記放送局側で、前記番組コンテンツを生成する際に、番組コンテンツ内を情報内容別に時間で区切って分割し、各分割コンテンツそれぞれに情報内容の属性を示す分類コードを付加しているとき、
任意の分類の検索記録指示に応じて、指示された分類に対応する分類コードを特定し、この分類コードが含まれる番組コンテンツを自動的に受信して前記特定された分類コードが付加されている分割コンテンツのみを検索記録することを特徴とする放送システムの蓄積型受信端末装置。
【請求項８】
前記放送局側で、前記分類コードとは別に全番組コンテンツに番組コードを付加しておき、各番組コンテンツの放送時間を示す番組情報、前記番組コード、前記情報内容別の分類情報、前記分類コードを含む電子番組ガイド情報を制作し、前記番組コンテンツとは独立して前記放送信号に多重しているとき、
前記放送信号を受信して前記番組コンテンツ及び電子番組ガイド情報を抽出する受信信号処理手段と、
前記番組コンテンツを前記分割コンテンツ単位で選択的に記録し再生する番組コンテンツ記録再生手段と、
前記放送信号から抽出される電子番組ガイド情報を自動的に格納する電子番組ガイド情報格納手段と、
任意の分類の検索記録指示、検索記録された分割コンテンツの再生指示を受け付ける指示入力手段と、
前記検索記録指示入力に応じて、前記分類情報に示される情報内容別の分類を表示して被検索分類を選択させ、選択された分類に該当する分類コードを前記電子番組ガイド情報から抽出し、抽出された分類コードを含む番組コンテンツの番組コードを前記電子番組ガイド情報から抽出し、抽出された番組コードに対応する番組コンテンツの放送時間に該当するチャンネルを選局して受信を開始し、分類コードが一致する分割コンテンツを検索して前記番組コンテンツ記録再生手段に記録する検索記録手段と、
前記検索記録されたコンテンツの再生指示入力に応じて前記番組コンテンツ記録再生手段から前記検索記録手段によって記録された分割コンテンツを順次再生する検索記録コンテンツ再生手段とを備えることを特徴とする請求項７記載の放送システムの蓄積型受信端末装置。
【請求項９】
前記検索記録手段は、前記分類の指定が複数あるとき、分類毎に分けて分割コンテンツを記録し、
前記検索記録コンテンツ再生手段は、分類の指定により、指定された分類の分割コンテンツのみを再生することを特徴とする請求項８記載の放送システムの蓄積型受信端末装置。
【請求項１０】
前記放送局側で、オンラインショッピング番組の番組コンテンツを紹介する商品別に時間を区切って分割し、各分割コンテンツそれぞれに商品の属性を示す分類コードを付加しているとき、
前記オンラインショッピング番組で紹介される任意の商品の検索記録指示があったとき、指示された商品が属する分類コードを特定し、この分類コードが含まれるオンラインショッピング番組の番組コンテンツを自動的に受信して前記特定された分類コードが付加されている分割コンテンツのみを検索記録することを特徴とする請求項７記載の放送システムの蓄積型受信端末装置。
【請求項１１】
さらに、前記放送局側で、前記分割コンテンツに商品情報の有効期限情報を付加しているとき、前記検索記録された分割コンテンツに付加されている前記有効期限情報から期限切れを判断し、期限切れと判断した場合に、再生時に期限切れを表示する、または期限切れの分割コンテンツ再生をスキップする、または期限切れの時点でその分割コンテンツを消去する、のいずれかの処理を実行する期限切れ処理手段を備えることを特徴とする請求項１０記載の放送システムの蓄積型受信端末装置。
【請求項１２】
前記期限切れ処理手段は、前記期限切れと判断した場合の処理として、再生時に期限切れを表示するモード、期限切れの分割コンテンツ再生をスキップするモード、期限切れの時点でその分割コンテンツを消去するモードを備え、ユーザの選択によって処理モードを切り換えることを特徴とする請求項１１記載の放送システムの蓄積型受信端末装置。
【発明の詳細な説明】
【技術分野】
【０００１】
本発明は、衛星放送や地上放送による放送システムに係り、特にオンラインショッピング、新譜ヒットチャート等の紹介情報番組の提供サービスに関する。
【背景技術】
【０００２】
従来より、衛星放送または地上放送における放送システムでは、番組内で多種多様な商品を紹介して電話、ＦＡＸ、メール等によりユーザからの注文を受け付けるオンラインショッピング番組が提供されている。また、新譜や新着映画等をミュージッククリップやビデオクリップ等により紹介して視聴者からのリクエストあるいはダウンロード要求を受け付ける情報案内番組も提供されている（例えば特許文献１参照）。
【特許文献１】特開２００２−３４２５９４号公報
【発明の開示】
【発明が解決しようとする課題】
【０００３】
ところで、上記のような情報提供番組では、情報の提供順序に関する情報が視聴者に開示されないため、視聴者は希望する情報が放送されるまで興味のない情報を視聴しつづけなければならない。また、このような情報は、放送局あるいはチャンネル別に独自に提供しているため、視聴者が希望する情報を見逃してしまうこともある。
【０００４】
番組そのものの情報は電子番組ガイド等で提供されているが、その番組内の情報の概略については、別途インターネットのホームページ等で配信されている。しかしながら、その公開内容では情報が不十分であり、また録画予約との連携をとることができない。
【０００５】
本発明は上記の事情を考慮してなされたもので、番組内における情報の提供順序にかかわらず、視聴者側で所望の情報だけを簡単に視聴することのできる放送システムとその蓄積型受信端末装置を提供することを目的とする。
【課題を解決するための手段】
【０００６】
上記目的を達成するために本発明に係る放送システムは、放送局から不特定多数の受信端末装置に向けて複数の番組のコンテンツを含む放送信号を放送する場合に、前記放送局側で、前記番組コンテンツを生成する際に、番組コンテンツ内を情報内容別に時間で区切って分割し、各分割コンテンツそれぞれに情報内容の属性を示す分類コードを付加しておき、前記受信端末装置側で、任意の分類の検索記録指示があったとき、指示された分類に対応する分類コードを特定し、この分類コードが含まれる番組コンテンツを自動的に受信して前記特定された分類コードが付加されている分割コンテンツのみを検索記録するようにしたものである。
【０００７】
また、本発明に係る放送システムの蓄積型受信端末装置は、前記放送局側で、前記番組コンテンツを生成する際に、番組コンテンツ内を情報内容別に時間で区切って分割し、各分割コンテンツそれぞれに情報内容の属性を示す分類コードを付加しているとき、任意の分類の検索記録指示に応じて、指示された分類に対応する分類コードを特定し、この分類コードが含まれる番組コンテンツを自動的に受信して前記特定された分類コードが付加されている分割コンテンツのみを検索記録するようにしたものである。
【発明の効果】
【０００８】
上記構成による本発明によれば、放送番組内における情報の提供順序にかかわらず、視聴者側で所望の情報だけを簡単に視聴することのできる放送システムとその蓄積型受信端末装置を提供することができる。
【発明を実施するための最良の形態】
【０００９】
以下、図面を参照して本発明の実施の形態を詳細に説明する。  
図１は、本発明を衛星放送システムに適用した場合の一実施形態を示すブロック図である。なお、ここではオンラインショッピング番組（商品紹介番組）を例にとって説明する。
【００１０】
図１において、放送局１１は、複数チャンネルにそれぞれ番組コンテンツのパケットデータを割り当てて多重することで放送信号を生成し、この放送信号を変調してＲＦ帯に周波数変換して送出する。この放送局１１から送出される放送波は、放送衛星１２で中継されて所定地域へ配信される。当該衛星放送の受信端末装置１３は、放送衛星１２からの放送信号を受信可能とするもので、電話・携帯電話公衆網、インターネットを含むネットワーク１４を介して番組管理センタ（ユーザ管理サーバ１５１を含む送受信装置）１５と通信可能となっている。
【００１１】
上記構成による放送システムにおいて、放送側では、番組制作時に、各番組コンテンツに番組コードを付加すると共に、オンラインショッピング番組で提供する番組コンテンツ内を商品別に時間で区切って分割し、各分割コンテンツそれぞれに商品の属性を示す商品分類コードを付加しておく。また、各番組コンテンツの放送時間等を示す番組情報及び番組コードに加え、オンラインショッピング番組については商品の種類（バッグ、時計等）を示す商品分類情報及び分類コードを追加した電子番組ガイド（以下、ＥＰＧ）情報を制作する。このＥＰＧ情報は、放送中に定期的に配信される、あるいは特定チャネルにて常時配信される。
【００１２】
受信端末装置１３は、アンテナ１３１により放送衛星１２からの放送信号を受信し、チューナ１３２で周波数変換し、ＣＤＭ復調部１３３で復調処理してパケットデータを抽出し、デコーダ部１３４で各番組コンテンツの映像・音声・データ及び番組データを復号し、再生処理部（図示せず）で適宜再生処理する。また、この受信端末装置１３は、デコーダ部１３４で得られた番組コンテンツを分割コンテンツ単位で選択的に格納する番組コンテンツ格納部１３５、デコーダ部１３４で番組データが得られた場合にその番組データを自動的に格納する番組データ格納部１３６を備える。上記の各処理部１３２〜１３６は、制御部１３７により、操作入力部１３８からのユーザ指示入力に応じて総括的に制御される。
【００１３】
上記受信端末装置１３は、さらに、通信モデム１３９、ＩＣカードインターフェース（Ｉ／Ｆ）部１３１０を備える。ＩＣカードインターフェース（Ｉ／Ｆ）部１３１０は、番組管理センタ１５から郵送される自装置識別のための端末ＩＤが記録されたＩＣカード１６を読み込むためのものである。制御部１３７は、ＩＣカードＩ／Ｆ部１３１０を通じてＩＣカード１６から端末ＩＤを取得し、内部メモリ（図示せず）に格納する。そして、オンラインショッピング番組における商品購入を指示入力があった場合には、指定される商品コード、端末ＩＤを含む商品購入情報を生成し、通信モデム１３９を通じて番組管理センタ１５に通知する。
【００１４】
尚、上記構成では、端末ＩＤをＩＣカードに記録してユーザに配布するようにしたが、ネットワーク１４を通じてオンラインで受信端末装置１３に送るようにしてもよい。
【００１５】
以上の構成により、オンラインショッピング可能な放送システムが実現される。このシステムにおいて、本発明の特徴とする受信端末装置１３の検索記録及び再生機能について、図２及び図３を参照して説明する。
【００１６】
図２は制御部１３７による検索記録機能の処理の流れを示すフローチャートである。ユーザが視聴メニューからオンラインショッピング検索記録を指示入力すると（ステップＳ１１）、検索記録用の制御プログラムが起動され、以下の処理が実行される（ステップＳ１２）。
【００１７】
まず、番組データ格納部１３６からＥＰＧ情報を読み出し（ステップＳ１３）、表示画面に検索メニューと共にＥＰＧ情報中の商品分類情報に示される商品分類の一覧を表示する（ステップＳ１４）。ユーザが検索メニューに従って商品を指定した場合には（ステップＳ１５）、商品分類情報から該当する商品分類コードを抽出し、ＥＰＧ情報から該当する商品分類コードが含まれる番組コンテンツの番組コードを抽出する（ステップＳ１６）。そして、抽出された番組コードによって特定される番組コンテンツの放送時間に該当チャンネルを選局し（ステップＳ１７）、デコーダ１３４で得られる番組コンテンツに付加された商品分類コードとの一致を監視する（ステップＳ１８）。コード一致が検出された場合には（ステップＳ１９）、そのコードが付加されている分割コンテンツを番組コンテンツ格納部１３５に記録する（ステップＳ２０）。以後、検索記録終了が指示されるまで、上記ステップＳ１６〜Ｓ２０の処理を繰り返す（ステップＳ２１）。
【００１８】
尚、上記の処理で、商品分類の選択は一つに限定せず、複数選択を可能としてもよい。この場合、商品分類毎にフォルダを作成し、個別に記録しておくと、再生時に商品分類毎に再生可能となる。
【００１９】
図３は制御部１３７による検索再生機能の処理の流れを示すフローチャートである。ユーザが視聴メニューからオンラインショッピング検索記録の再生を指示入力すると（ステップＳ３１）、検索記録再生のための制御プログラムが起動され、以下の処理が実行される（ステップＳ３２）。
【００２０】
まず、番組コンテンツ格納部１３５から順次分割コンテンツを読み出し、再生を行う（ステップＳ３３）。このとき、分割コンテンツに有効期限が付加されている場合には、その現在時刻と比較して期限切れかどうかを判断し（ステップＳ３４）、期限切れの場合にはコンテンツ再生中に「期限切れ」を表示させる（ステップＳ３５）。以下、全ての記録コンテンツが再生されるまで、上記ステップＳ３３〜Ｓ３５の処理を繰り返す（ステップＳ３６）。
【００２１】
尚、上記ステップＳ３５では、有効期限超過を表示するものとしたが、その分割コンテンツの再生そのものをスキップさせるようにしてもよい。また、事前に有効期限を過ぎた分割コンテンツを消去するようにしてもよい。さらに、有効期限の表示、スキップ消去をユーザに選択させるようにしてもよい。また、各記録コンテンツが商品分類毎に分けて記録されている場合には、始めに記録されている商品分類を提示し、視聴者によって選択された商品分類の分割コンテンツだけを再生するようにしてもよい。
【００２２】
以上の検索記録及び再生機能により、ユーザが予め指定した商品分類が紹介されるオンラインショッピング番組を自動的に受信して、指定商品に該当する部分の分割コンテンツを、チャンネルを問わず、自動的に検索して記録し再生することができる。これにより、ユーザは、好きなときに多数のオンラインショッピング番組の中から所望する商品の紹介部分だけをまとめて視聴することが可能となり、所望しない商品紹介を視聴する必要がなくなると共に、所望する商品紹介を見逃すこともなくなる。また、放送時間帯の制約がなくなって、深夜等の視聴率の低い時間帯の放送であっても視聴される可能性が高くなるため、商品紹介効果の増大に繋がり、番組提供者側にとっても有意義である。
【００２３】
尚、上記実施形態では、オンラインショッピングを例に説明したが、本発明はこれに限定されず、例えばニュース番組中のジャンル別、野球番組の選手別、バラエティ番組の出演者別、新譜や新着映画の紹介番組のジャンル別等で検索記録させることも可能である。その検索処理については、放送側で分類コード及び分類情報の変更で自由に設定可能であり、受信端末装置側で新たに機能を追加する必要はない。
【００２４】
さらに、検索記録時に指定された分類コードが視聴記録として番組管理センタに自動的に通知されるようにすれば、センタ側で契約ユーザ情報から住所（地域）、性別、年齢（年代）等に分類した視聴率、嗜好性を集計することが可能となる。このことは、特にオンラインショッピングにおいて、極めて有効な情報となる。
【００２５】
その他、本発明の検索記録及び再生機能は、種々のアプリケーションに応用可能である。
【図面の簡単な説明】
【００２６】
【図１】本発明に係る放送システムの一実施形態を示すブロック図。
【図２】同実施形態の受信端末装置における番組検索記録機能の処理の流れを示すフローチャート。
【図３】同実施形態の受信端末装置における番組検索再生機能の処理の流れを示すフローチャート。
【符号の説明】
【００２７】
１１…放送局、１２…放送衛星、１３…受信端末装置、１３１…アンテナ、１３２…チューナ、１３３…ＣＤＭ復調部、１３４…デコーダ、１３５…番組コンテンツ格納理部、１３６…番組データ格納部、１３７…制御部、１３８…操作入力部、１３９…通信モデム、１３１０…ＩＣカードＩ／Ｆ部、１４…ネットワーク（電話・携帯電話公衆網、インターネットを含む）、１５…番組管理センタ、１５１…ユーザ管理サーバ、１６…ＩＣカード。
【図１】
2005094100.tif 000003
【図２】
2005094100.tif 000004
【図３】
2005094100.tif 000005